(57)【特許請求の範囲】
【請求項１】
発光装置を備える照明装置であって、
前記発光装置は、
所定の波長をピークに持つ第１の青色光を発光する第１の発光手段と、
前記所定の波長と異なる波長をピークに持つ第２の青色光を発光する第２の発光手段と
、
前記第１の青色光の一部及び前記第２の青色光の一部を黄色光に変換する青色光波長変
換手段と、を備え、
前記第１の青色光と前記第２の青色光と前記黄色光の合成光たる白色光が、所定の色度
となるように、前記第１の青色光の光度と前記第２の青色光の光度の両方が調整されてな
ることを特徴とする照明装置。
【請求項２】
前記第１の青色光のピークとなる波長は、前記第２の青色光のピークとなる波長と１０
ｎｍ以上の差を有することを特徴とする請求項１に記載の照明装置。
【請求項３】
前記第１の青色光及び前記第２の青色光は、波長４３０ｎｍ〜４８０ｎｍの範囲内の波
長をピークに持つことを特徴とする請求項１又は２に記載の照明装置。
【請求項４】
請求項１乃至３のいずれか一項に記載の照明装置と、
前記照明装置によって照明されてなる表示パネルと、を有することを特徴とする電気光
学装置。
【請求項５】
所定の波長をピークに持つ第１の青色光を発光する第１の発光手段と、
前記所定の波長と異なる波長をピークに持つ第２の青色光を発光する第２の発光手段と
、
前記第１の青色光の一部及び前記第２の青色光の一部を黄色光に変換する青色光波長変
換手段と、を備え、
前記第１の青色光と前記第２の青色光と前記黄色光の合成光たる白色光が、所定の色度
となるように、前記第１の青色光の光度と前記第２の青色光の光度の両方が調整されてな
る照明装置と、
前記照明装置から出射された光が入射する複数の表示画素を備えた表示パネルと、を有
し、
前記表示パネルの１つの表示画素は、複数のサブ画素を備え、前記サブ画素には、波長
に応じて色相が変化する可視光領域のうち、青系の色相の着色領域、赤系の色相の着色領
域、青から黄までの色相の中で選択された２種の色相の着色領域からなる４種の着色領域
のうちのいずれかを備えることを特徴とする電気光学装置。
【請求項６】
青から黄までの色相の中で選択された前記２種の色相の着色領域の一方の着色領域が青
から緑の色相であることを特徴とする請求項５に記載の電気光学装置。
【請求項７】
青から黄までの色相の中で選択された前記２種の色相の着色領域の他方の着色領域が緑
から橙の色相であることを特徴とする請求項５に記載の電気光学装置。
【請求項８】
所定の波長をピークに持つ第１の青色光を発光する第１の発光手段と、
前記所定の波長と異なる波長をピークに持つ第２の青色光を発光する第２の発光手段と
、
前記第１の青色光の一部及び前記第２の青色光の一部を黄色光に変換する青色光波長変
換手段と、を備え、
前記第１の青色光と前記第２の青色光と前記黄色光の合成光たる白色光が、所定の色度
となるように、前記第１の青色光の光度と前記第２の青色光の光度の両方が調整されてな
る照明装置と、
前記照明装置から出射された光が入射する複数の表示画素を備えた表示パネルと、を有
し、
前記表示パネルの１つの表示画素は、複数のサブ画素を備え、前記サブ画素には、透過
光の波長のピークが、４１５〜５００ｎｍにある第１着色領域と、６００ｎｍ以上にある
第２着色領域と、４８５〜５３５ｎｍにある第３着色領域と、５００〜５９０ｎｍにある
第４着色領域とからなる４種の着色領域のうちのいずれかを備えることを特徴とする電気
光学装置。
【請求項９】
前記第３着色領域の透過光の波長のピークが４９５〜５２０ｎｍにあることを特徴とす
る請求項８に記載の電気光学装置。
【請求項１０】
前記第４着色領域の透過光の波長のピークが５１０〜５８５ｎｍにあることを特徴とす
る請求項８に記載の電気光学装置。
【請求項１１】
所定の波長をピークに持つ第１の青色光を発光する第１の発光手段と、前記所定の波長
と異なる波長をピークに持つ第２の青色光を発光する第２の発光手段と、前記第１の青色
光の一部及び前記第２の青色光の一部を黄色光に変換する青色光波長変換手段と、を備え
た照明装置と、
複数の表示画素を備え、前記照明装置から出射された光が入射する表示パネルと、を有
し、
前記表示パネルの１つの表示画素は、複数のサブ画素を備え、前記サブ画素は、赤、緑
、青、シアンの各色の着色層のいずれかを備えることを特徴とする電気光学装置。
【請求項１２】
請求項４乃至１１のいずれか一項に記載の電気光学装置を表示部に備えることを特徴と
する電子機器。
【請求項１３】
所定の波長をピークに持つ第１の青色光を発光する第１の発光手段と、
前記所定の波長と異なる波長をピークに持つ第２の青色光を発光する第２の発光手段と
、
前記第１の青色光の一部及び前記第２の青色光の一部を黄色光に変換する青色光波長変
換手段と、を備えることを特徴とする発光装置。
【請求項１４】
異なる波長をピークに持つ２つの青色光を夫々発光する２つの発光手段と、前記青色光
の一部を黄色光に変換する青色光波長変換手段を有する発光装置を備えた電気光学装置の
製造方法であって、
前記発光装置を有する照明装置を作製する照明装置作製工程と、
表示パネルを作製する表示パネル作製工程と、
前記照明装置と前記表示パネルを組み合わせる組み合わせ工程と、
前記２つの青色光の光度を独立に調整する光度調整工程と、を備えることを特徴とする
電気光学装置の製造方法。
【請求項１５】
前記光度調整工程は、前記組み合わせ工程の前工程で行われ、前記照明装置より出光さ
れる光を基に、前記２つの青色光の光度の両方の調整を行うことでホワイトバランスの調
整を行うことを特徴とする請求項１４に記載の電気光学装置の製造方法。
【請求項１６】
前記光度調整工程は、前記組み合わせ工程の後工程で行われ、前記表示パネルより出光
される光を基に、前記２つの青色光の光度の両方の調整を行うことでホワイトバランスの
調整を行うことを特徴とする請求項１４に記載の電気光学装置の製造方法。
【請求項１７】
前記表示パネルは複数の表示画素を備え、
夫々の前記表示画素は、波長に応じて色相が変化する可視光領域のうち、青系の色相の
着色領域、赤系の色相の着色領域、青から黄までの色相の中で選択された２種の色相の着
色領域の各色のサブ画素から構成されていることを特徴とする請求項１６に記載の電気光
学装置の製造方法。
【請求項１８】
前記表示パネルは複数の表示画素を備え、
夫々の前記表示画素は、透過光の波長のピークが、４１５〜５００ｎｍにある第１着色
領域と、６００ｎｍ以上にある第２着色領域と、４８５〜５３５ｎｍにある第３着色領域
と、５００〜５９０ｎｍにある第４着色領域の各色のサブ画素から構成されていることを
特徴とする請求項１６に記載の電気光学装置の製造方法。
【請求項１９】
前記表示パネルは複数の表示画素を備え、
夫々の前記表示画素は、赤、緑、青、シアンの各色のサブ画素から構成されていること
を特徴とする請求項１６に記載の電気光学装置の製造方法。
【発明の詳細な説明】
【技術分野】
【０００１】
本発明は、電気光学装置の照明装置用の光源として用いられる発光装置に関する。
【背景技術】
【０００２】
液晶表示装置に代表される電気光学装置は、２枚の基板間などに液晶などの電気光学物
質を保持してなる構造を有している。例えば、液晶表示装置においては、透過表示を行う
ために液晶表示パネルの背面側に照明装置が設けられる。照明装置には、その光源たる発
光装置として、複数のシングルシップ方式の白色ＬＥＤ（Light Emitting Diode）を用い
るものがある。シングルチップ方式の白色ＬＥＤは、波長４３０〜４８０ｎｍの青色光を
出光する青色ＬＥＤと、ＹＡＧ（イットリウム・アルミニウム・ガーネット）系蛍光体よ
り構成される。シングルチップ方式の白色ＬＥＤは、内部の青色ＬＥＤからの青色光でＹ
ＡＧ系蛍光体を励起することによって黄色光を生成し、青色光と黄色光を混光することで
白色光を生成する。液晶表示装置は、照明装置より出光された白色光を、液晶表示パネル
の基板上に積層されている赤（Ｒ）、緑（Ｇ）、青（Ｂ）のそれぞれの波長の光を透過す
るカラーフィルタに透過させることにより、カラー表示を実現している。
【０００３】
このようなシングルチップ方式の白色ＬＥＤでは、青色ＬＥＤより出光される青色光の
波長や、ＹＡＧ系蛍光体の量により、発光色度のばらつきが生じる。なお、以下の特許文
献１では、上述した白色ＬＥＤと共に色度補正用のＬＥＤを配置することにより、発光色
度のばらつきを補償する方法が記載されている。
【０００４】
【特許文献１】特開２００１−２０９０４９号公報
【発明の開示】
【発明が解決しようとする課題】
【０００５】
しかしながら、ＲＧＢのカラーフィルタを有する液晶表示パネルに、照明装置から出光
した白色光を透過させた場合、白色光の青色光の成分が吸収されてしまうことにより、液
晶表示パネルで白色表示を行う際における白色光の色度が、照明装置から出光された白色
光の色度と大きく異なることがある。最近では、ＲＧＢのカラーフィルタの他にシアン（
Ｃ）の波長の光を透過するカラーフィルタも有する液晶表示装置も考えられているが、こ
のＲＧＢＣのカラーフィルタを有する液晶表示パネルでは、ＲＧＢのカラーフィルタを有
する液晶表示パネルと比較して、Ｃのカラーフィルタを追加したことにより、白色点が、
より緑色側にシフトする傾向がある。
【０００６】
本発明は上記の点に鑑みてなされたものであり、白色光のホワイトバランスの調整を容
易に行うことの可能な照明装置を提供することを課題とする。
【課題を解決するための手段】
【０００７】
本発明の１つの観点では、発光装置を備える照明装置であって、前記発光装置は、所定
の波長をピークに持つ第１の青色光を発光する第１の発光手段と、前記所定の波長と異な
る波長をピークに持つ第２の青色光を発光する第２の発光手段と、前記第１の青色光の一
部及び前記第２の青色光の一部を黄色光に変換する青色光波長変換手段と、を備え、前記
第１の青色光と前記第２の青色光と前記黄色光の合成光たる白色光が、所定の色度となる
ように、前記第１の青色光の光度と前記第２の青色光の光度の両方が調整されてなる。
【０００８】
上記の照明装置は、例えば、表示パネルのバックライトとして機能するものであり、光
源部として発光装置を備える。前記発光装置は、第１の発光手段と、第２の発光手段と、
青色光波長変換手段と、を備える。前記第１の発光手段は、例えば青色ＬＥＤであり、所
定の波長をピークに持つ第１の青色光を発光する。前記第２の発光手段は、例えば青色Ｌ
ＥＤであり、前記所定の波長と異なる波長をピークに持つ第２の青色光を発光する。前記
青色光波長変換手段は、例えばＹＡＧ（イットリウム・アルミニウム・ガーネット）系蛍
光体であり、前記第１の青色光の一部及び前記第２の青色光の一部を黄色光に変換する。
前記第１の青色光の光度と前記第２の青色光の光度の両方が調整されることによって、所
定の色度に調整されている。これにより、前記照明装置より発光される白色光は、ｘｙ色
度図のＹ軸の値が変えられることによって、所定の白色光の色度に調整されることとなる
。また、前記照明装置は、青色光を発光する発光手段のみを用いて、所定の白色光の色度
に調整された白色光を出光することができる。
【０００９】
上記の照明装置の一態様では、前記第１の青色光のピークとなる波長は、前記第２の青
色光のピークとなる波長と１０ｎｍ以上の差を有する。このとき、ｘｙ色度図の調整でき
るＹ軸の最大幅が、人間が色の違いを視覚できる色度の最小値である０．０１５程度とな
る。つまり、このようにすることで、人間が色の違いを視覚できる色度範囲で、白色光の
ホワイトバランスの調整が行われることとなる。
【００１０】
上記の照明装置の好適な実施例では、前記照明装置は、前記第１の青色光及び前記第２
の青色光は、波長４３０ｎｍ〜４８０ｎｍの範囲内の波長をピークに持つ。
【００１１】
本発明の他の観点では、上記の照明装置と、前記照明装置によって照明されてなる表示
パネルを備えることを特徴とする電気光学装置を構成することができる。電気光学装置は
、例えば液晶表示装置であり、表示パネルは、例えば液晶表示パネルである。ここで、表
示パネルにおいて、１つの表示画素が赤、緑、青のサブ画素で構成されている場合には、
照明装置より出光した白色光が表示パネルを透過する際、その青色光の成分が吸収され、
白色光のホワイトバランスが崩れてしまう。上記の照明装置では、青色光の光度を調整す
ることができるので、表示パネルで吸収された白色光の青色光の成分を補うことができる
。
【００１２】
本発明のさらなる他の観点では、電気光学装置は、所定の波長をピークに持つ第１の青
色光を発光する第１の発光手段と、前記所定の波長と異なる波長をピークに持つ第２の青
色光を発光する第２の発光手段と、前記第１の青色光の一部及び前記第２の青色光の一部
を黄色光に変換する青色光波長変換手段と、を備え、前記第１の青色光と前記第２の青色
光と前記黄色光の合成光たる白色光が、所定の色度となるように、前記第１の青色光の光
度と前記第２の青色光の光度の両方が調整されてなる照明装置と、前記照明装置から出射
された光が入射する複数の表示画素を備えた表示パネルと、を有し、前記表示パネルの１
つの表示画素は、複数のサブ画素を備え、前記サブ画素には、波長に応じて色相が変化す
る可視光領域のうち、青系の色相の着色領域、赤系の色相の着色領域、青から黄までの色
相の中で選択された２種の色相の着色領域からなる４種の着色領域のうちのいずれかを備
える。このような表示パネルは、広い色相範囲での表示が可能であり、上記の照明装置を
備えることにより、表示パネルで吸収された白色光の青色光の成分を補って高い色再現性
を有する電気光学装置を提供することができる。また、この場合、青から黄までの色相の
中で選択された前記２種の色相の着色領域の一方の着色領域が青から緑の色相であること
が好ましい。あるいは、青から黄までの色相の中で選択された前記２種の色相の着色領域
の他方の着色領域が緑から橙の色相であることが好ましい。これによれば、前記２種の色
相の着色領域の設定が最適化され、よりホワイトバランスがとれた白色光を得ることがで
きる。
【００１３】
本発明のさらなる他の観点では、電気光学装置は、所定の波長をピークに持つ第１の青
色光を発光する第１の発光手段と、前記所定の波長と異なる波長をピークに持つ第２の青
色光を発光する第２の発光手段と、前記第１の青色光の一部及び前記第２の青色光の一部
を黄色光に変換する青色光波長変換手段と、を備え、前記第１の青色光と前記第２の青色
光と前記黄色光の合成光たる白色光が、所定の色度となるように、前記第１の青色光の光
度と前記第２の青色光の光度の両方が調整されてなる照明装置と、前記照明装置から出射
された光が入射する複数の表示画素を備えた表示パネルと、を有し、前記表示パネルの１
つの表示画素は、複数のサブ画素を備え、前記サブ画素には、透過光の波長のピークが、
４１５〜５００ｎｍにある第１着色領域と、６００ｎｍ以上にある第２着色領域と、４８
５〜５３５ｎｍにある第３着色領域と、５００〜５９０ｎｍにある第４着色領域とからな
る４種の着色領域のうちのいずれかを備える。このような表示パネルは、広い色相範囲で
の表示が可能であるが、上記の照明装置を備えることにより、表示パネルで吸収された白
色光の青色光の成分を補って高い色再現性を有する電気光学装置を提供することができる
。また、この場合、前記第３着色領域の透過光の波長のピークが４９５〜５２０ｎｍにあ
ることが好ましい。あるいは、前記第４着色領域の透過光の波長のピークが５１０〜５８
５ｎｍにあることが好ましい。これによれば、前記第３着色領域または前記第４着色領域
の設定が最適化され、よりホワイトバランスがとれた白色光を得ることができる。
【００１４】
本発明のさらなる他の観点では、電気光学装置は、所定の波長をピークに持つ第１の青
色光を発光する第１の発光手段と、前記所定の波長と異なる波長をピークに持つ第２の青
色光を発光する第２の発光手段と、前記第１の青色光の一部及び前記第２の青色光の一部
を黄色光に変換する青色光波長変換手段と、を備えた照明装置と、複数の表示画素を備え
、前記照明装置から出射された光が入射する表示パネルと、を有し、前記表示パネルの１
つの表示画素は、複数のサブ画素を備え、前記サブ画素は、赤、緑、青、シアンの各色の
着色層のいずれかを備える。前記表示パネルの１つの表示画素は、赤、緑、青、シアンの
各色の着色層のいずれかを備えたサブ画素から構成されている。つまり、前記表示パネル
は、１つの表示画素は、赤、緑、青、シアンのサブ画素で構成されている。このような表
示パネルは、１つの表示画素が赤、緑、青のサブ画素で構成されている表示パネルよりも
、Ｃのサブ画素を追加したことにより、白色点が、より緑色側にシフトする傾向がある。
従って、１つの表示画素が、赤、緑、青、シアンの各色のサブ画素から構成されている表
示パネルの照明装置として、上記の照明装置を用いることで、白色光の青色光の成分を多
くすることができ、緑色側にシフトした白色光の白色点を最適な白色点に調整することが
できる。
【００１５】
本発明のさらなる他の観点では、上記の電気光学装置を表示部に備えることを特徴とす
る電子機器を構成することができる。
【００１６】
本発明のさらなる他の観点では、発光装置は、所定の波長をピークに持つ第１の青色光
を発光する第１の発光手段と、前記所定の波長と異なる波長をピークに持つ第２の青色光
を発光する第２の発光手段と、前記第１の青色光の一部及び前記第２の青色光の一部を黄
色光に変換する青色光波長変換手段と、を備える。これにより、前記発光装置は、青色光
を発光する発光手段のみを用いて、所定の色度の白色光を出光することができる。
【００１７】
本発明のさらなる他の観点では、異なる波長をピークに持つ２つの青色光を夫々発光す
る２つの発光手段と、前記青色光の一部を黄色光に変換する青色光波長変換手段を有する
発光装置を備えた電気光学装置の製造方法は、前記発光装置を有する照明装置を作製する
照明装置作製工程と、表示パネルを作製する表示パネル作製工程と、前記照明装置と前記
表示パネルを組み合わせる組み合わせ工程と、前記２つの青色光の両方の光度を調整する
光度調整工程と、を備える。このようにして、電気光学装置の製造工程中において、白色
光のホワイトバランスの調整を行うことができる。
【００１８】
上記の電気光学装置の製造方法の好適な一態様では、前記光度調整工程は、前記組み合
わせ工程の前工程で行われ、前記照明装置より出光される光を基に、前記２つの青色光の
光度の両方の調整を行うことでホワイトバランスの調整を行う。
【００１９】
上記の電気光学装置の製造方法の他の一態様では、前記光度調整工程は、前記組み合わ
せ工程の後工程で行われ、前記表示パネルより出光される光を基に、前記２つの青色光の
光度の両方の調整を行うことでホワイトバランスの調整を行う。これにより、観測者が実
際に視認する表示画面に映し出される白色光のホワイトバランスを調整することができる
。
【００２０】
上記の電気光学装置の製造方法の好適な一態様では、前記表示パネルは複数の表示画素
を備え、夫々の前記表示画素は、波長に応じて色相が変化する可視光領域のうち、青系の
色相の着色領域、赤系の色相の着色領域、青から黄までの色相の中で選択された２種の色
相の着色領域の各色のサブ画素から構成されている。
【００２１】
上記の電気光学装置の製造方法の好適な他の一態様では、前記表示パネルは複数の表示
画素を備え、夫々の前記表示画素は、透過光の波長のピークが、４１５〜５００ｎｍにあ
る第１着色領域と、６００ｎｍ以上にある第２着色領域と、４８５〜５３５ｎｍにある第
３着色領域と、５００〜５９０ｎｍにある第４着色領域の各色のサブ画素から構成されて
いる。
【００２２】
上記の電気光学装置の製造方法の好適なさらなる一態様では、前記表示パネルは複数の
表示画素を備え、夫々の前記表示画素は、赤、緑、青、シアンの各色のサブ画素から構成
されている。
【発明を実施するための最良の形態】
【００２３】
以下、図面を参照して本発明を実施するための最良の形態について説明する。
【００２４】
［液晶表示装置の構成］
まず、図１〜図３を参照して、本実施形態に係る液晶表示装置１００の構成等について
説明する。
【００２５】
図１は、本実施形態に係る液晶表示装置１００の概略構成を模式的に示す平面図である
。図１では、紙面手前側（観察側）にカラーフィルタ基板９２が、また、紙面奥側に素子
基板９１が夫々配置されている。なお、図１では、紙面縦方向（列方向）をＹ方向と、ま
た、紙面横方向（行方向）をＸ方向と規定する。また、図１において、Ｒ（赤）、Ｇ（緑
）、Ｂ（青）Ｃ（シアン）に対応する各領域は１つのサブ画素ＳＧを示していると共に、
Ｒ、Ｇ、Ｂ、Ｃに対応する１行４列のサブ画素ＳＧは、１つの画素領域ＡＧを示している
。
【００２６】
図２は、液晶表示装置１００における切断線Ａ−Ａ´に沿った１つの画素領域ＡＧの拡
大断面図である。図２に示すように、液晶表示装置１００は、液晶表示パネル３０と照明
装置１０より構成される。液晶表示パネル３０は、素子基板９１と、その素子基板９１に
対向して配置されるカラーフィルタ基板９２とが枠状のシール材５を介して貼り合わされ
、そのシール材５の内側に液晶が封入されて液晶層４が形成されてなる。液晶表示パネル
３０の素子基板９１の外面上には、照明装置１０が備えられている。
【００２７】
本実施形態に係る液晶表示装置１００は、ＲＧＢＣの４色を用いて構成されるカラー表
示用の液晶表示装置であると共に、スイッチング素子としてａ−Ｓｉ型ＴＦＴ（Thin Fil
m Transistor）素子を用いたアクティブマトリクス駆動方式の液晶表示装置である。
【００２８】
素子基板９１の平面構成について説明する。素子基板９１の内面上には、主として、複
数のソース線３２、複数のゲート線３３、複数のａ−Ｓｉ型ＴＦＴ素子３７、複数の画素
電極３４、ドライバＩＣ４０、外部接続用配線３５及びＦＰＣ（Flexible Printed Circu
it）４１などが形成若しくは実装されている。
【００２９】
図１に示すように、素子基板９１は、カラーフィルタ基板９２の一辺側から外側へ張り
出してなる張り出し領域３１を有しており、その張り出し領域３１上には、ドライバＩＣ
４０が実装されている。ドライバＩＣ４０の入力側の端子（図示略）は、複数の外部接続
用配線３５の一端側と電気的に接続されていると共に、複数の外部接続用配線３５の他端
側はＦＰＣ４１と電気的に接続されている。各ソース線３２は、Ｙ方向に延在するように
且つＸ方向に適宜の間隔をおいて形成されており、各ソース線３２の一端側は、ドライバ
ＩＣ４０の出力側の端子（図示略）に電気的に接続されている。
【００３０】
各ゲート線３３は、Ｙ方向に延在するように形成された第１配線３３ａと、その第１配
線３３ａの終端部からＸ方向に延在するように形成された第２配線３３ｂとを備えている
。各ゲート線３３の第２配線３３ｂは、各ソース線３２と交差する方向、即ちＸ方向に延
在するように且つＹ方向に適宜の間隔をおいて形成されており、各ゲート線３３の第１配
線３３ａの一端側は、ドライバＩＣ４０の出力側の端子（図示略）に電気的に接続されて
いる。各ソース線３２と各ゲート線３３の第２配線３３ｂの交差に対応する位置にはＴＦ
Ｔ素子３７が設けられており、各ＴＦＴ素子３７は各ソース線３２、各ゲート線３３及び
各画素電極３４等に電気的に接続されている。各ＴＦＴ素子３７及び各画素電極３４は、
ガラスなどの基板１上の各サブ画素ＳＧに対応する位置に設けられている。各画素電極３
４は、例えばＩＴＯ（Indium-Tin Oxide）などの透明導電材料により形成されている。
【００３１】
１つの画素領域ＡＧがＸ方向及びＹ方向に複数個、マトリクス状に並べられた領域が有
効表示領域Ｖ（２点鎖線により囲まれる領域）である。この有効表示領域Ｖに、文字、数
字、図形等の画像が表示される。なお、有効表示領域Ｖの外側の領域は表示に寄与しない
額縁領域３８となっている。また、各ソース線３２、各ゲート線３３、各ＴＦＴ素子３７
、及び各画素電極３４等の内面上には、図示しない配向膜が形成されている。
【００３２】
次に、カラーフィルタ基板９２の平面構成について説明する。図２に示すように、カラ
ーフィルタ基板９２は、ガラスなどの基板２上に、遮光層（一般に「ブラックマトリクス
」と呼ばれ、以下では、単に「ＢＭ」と略記する）、Ｒ、Ｇ、Ｂ、Ｃの４色の着色層６Ｒ
、６Ｇ、６Ｂ、６Ｃ及び共通電極８などを有する。ＢＭは、各サブ画素ＳＧを区画する位
置に形成されている。なお、以下の説明もしくは図面において、色を問わずに構成要素を
示す場合には、単に「着色層６」のように記し、色を区別して構成要素を示す場合には、
例えば「着色層６Ｒ」のように記すこととする。この着色層６がカラーフィルタを構成す
る。共通電極８は、画素電極と同様にＩＴＯなどの透明導電材料からなり、カラーフィル
タ基板９２の略一面に亘って形成されている。共通電極８は、シール材５の隅の領域Ｅ１
において配線３６の一端側と電気的に接続されていると共に、当該配線３６の他端側は、
ドライバＩＣ４０のＣＯＭに対応する出力端子と電気的に接続されている。
【００３３】
次に照明装置１０について説明する。照明装置１０は、導光板１１と光源部１２より構
成される。光源部１２は、導光板１１の端面１１ｃに対し光Ｌを出光する。光源部１２は
、点光源たる複数の白色ＬＥＤ１３ａ、１３ｂを備える。ここで、白色ＬＥＤ１３ａ、１
３ｂは、後に詳しく述べるが、シングルチップ方式の白色ＬＥＤである。図３に、本実施
形態に係る照明装置１０の平面図を示す。図３に示すように、白色ＬＥＤ１３ａ、１３ｂ
は夫々、同数ずつ光源部１２に配置される。光源部１２より出光される光Ｌは、白色ＬＥ
Ｄ１３ａ、１３ｂの夫々より出光された白色光を混光した合成光である。
【００３４】
光源部１２より出光した光Ｌは、導光板１１の端面（以下、「入光端面」と称す）１１
ｃより導光板１１内へ入り、導光板１１の出光面１１ａ、反射面１１ｂで反射を繰り返す
ことにより方向を変え、導光板１１の出光面１１ａと光Ｌのなす角が臨界角を超えると、
導光板１１の出光面１１ａから照明光Ｌとして液晶表示パネル３０へ夫々出光する。液晶
表示装置１００は、光Ｌが液晶表示パネル３０を透過することによって照明される。これ
により、液晶表示装置１００は、文字、数字、図形等の画像を表示することができ、観測
者が画像を視認することができる。
【００３５】
液晶表示装置１００では、電子機器のメイン基板等と接続されたＦＰＣ４１側からの信
号及び電力等に基づき、ドライバＩＣ４０によって、Ｇ１、Ｇ２、・・・、Ｇｍ−１、Ｇ
ｍ（ｍは自然数）の順にゲート線３３が順次排他的に１本ずつ選択されるとともに、選択
されたゲート線３３には、選択電圧のゲート信号が供給される一方、他の非選択のゲート
線３３には、非選択電圧のゲート信号が供給される。そして、ドライバＩＣ４０は、選択
されたゲート線３３に対応する位置にある画素電極３４に対し、表示内容に応じたソース
信号を、それぞれ対応するＳ１、Ｓ２、・・・、Ｓｎ−１、Ｓｎ（ｎは自然数）のソース
線３２及びＴＦＴ素子３７を介して供給する。その結果、液晶層４の配向状態が制御され
、液晶表示装置１００の表示状態が、非表示状態または中間表示状態に切り替えられるこ
ととなる。
【００３６】
なお、図２に示すように、本実施形態に係る液晶表示装置１００における１つの画素領
域ＡＧは、ＲＧＢＣの４色の着色層６より構成されるとしているが、これに限られない。
この代わりに、本実施形態に係る液晶表示装置１００における１つの画素領域ＡＧが、
一般的な画素領域の構成であるＲＧＢの３色の着色層６より構成されるとすることもでき
る。
【００３７】
さらには、各着色層６Ｒ，６Ｇ，６Ｂ，６Ｃが設けられた各着色領域は、各サブ画素Ｓ
Ｇに対応するものであり、４色（４種）の着色領域で１つの画素領域ＡＧを構成する。４
色の着色領域は、波長に応じて色相が変化する可視光領域（３８０−７８０ｎｍ）のうち
、青系の色相の着色領域、赤系の色相の着色領域と、青から黄までの色相の中で選択され
た２種の色相の着色領域からなるとしてもよい。ここで系と用いているが、例えば青系で
あれば純粋の青の色相に限定されるものでなく、青紫や青緑等を含むものである。赤系の
色相であれば、赤に限定されるものでなく橙を含む。また、これら着色領域は単一の着色
層で構成されても良いし、複数の異なる色相の着色層を重ねて構成されても良い。また、
これら着色領域は色相で述べているが、当該色相は、彩度、明度を適宜変更し、色を設定
し得るものである。
【００３８】
４色の着色領域の具体的な色相の範囲は、例えば、青系の色相の着色領域は、青紫から
青緑であり、より好ましくは藍から青である。赤系の色相の着色領域は、橙から赤である
。青から黄までの色相で選択される一方の着色領域は、青から緑であり、より好ましくは
青緑から緑である。青から黄までの色相で選択される他方の着色領域は、緑から橙であり
、より好ましくは緑から黄である。もしくは緑から黄緑である。ここで、各着色領域は、
同じ色相を用いることはない。例えば、青から黄までの色相で選択される２つの着色領域
で緑系の色相を用いる場合は、他方は一方の緑に対して青系もしくは黄緑系の色相を用い
る。これにより、従来のＲＧＢの着色領域よりも広範囲の色再現性を実現することができ
る。
【００３９】
また、広範囲の色再現性を色相で述べたが、着色領域の色相の設定は、これを透過した
透過光の波長のピークを基に定めてもよい。例えば、青系の着色領域は、波長のピークが
４１５−５００ｎｍにある着色領域、好ましくは、４３５−４８５ｎｍにある着色領域で
ある。赤系の着色領域は、波長のピークが６００ｎｍ以上にある着色領域で、好ましくは
、６０５ｎｍ以上にある着色領域である。青から黄までの色相で選択される一方の着色領
域は、波長のピークが４８５−５３５ｎｍにある着色領域で、好ましくは、４９５−５２
０ｎｍにある着色領域である。青から黄までの色相で選択される他方の着色領域は、波長
のピークが５００−５９０ｎｍにある着色領域、好ましくは５１０−５８５ｎｍにある着
色領域、もしくは５３０−５６５ｎｍにある着色領域である。
【００４０】
また、ｘｙ色度図で４色の着色領域の設定を行ってもよい。青系の着色領域は、ｘ≦0.
151、ｙ≦0.056にある着色領域であり、好ましくは、0.134≦ｘ≦0.151、0.034≦ｙ≦0.0
56にある着色領域である。赤系の着色領域は、0.643≦ｘ、ｙ≦0.333にある着色領域であ
り、好ましくは、0.643≦ｘ≦0.690、0.299≦ｙ≦0.333にある着色領域である。青から黄
までの色相で選択される一方の着色領域は、ｘ≦0.164、0.453≦ｙにある着色領域であり
、好ましくは、0.098≦ｘ≦0.164、0.453≦ｙ≦0.759にある着色領域である。青から黄ま
での色相で選択される他方の着色領域は、0.257≦ｘ、0.606≦ｙにある着色領域であり、
好ましくは、0.257≦ｘ≦0.357、0.606≦ｙ≦0.670にある着色領域である。
【００４１】
これら４色の着色領域は、サブ画素に透過領域と反射領域を備えた場合、透過領域及び
反射領域も上述した範囲で適用することができるものである。
【００４２】
上記４色の着色領域の構成の例として、以下のものが挙げられる。
（１）色相が、赤、青、緑、シアン（青緑）の着色領域。
（２）色相が、赤、青、緑、黄の着色領域。
（３）色相が、赤、青、深緑、黄の着色領域。
（４）色相が、赤、青、エメラルド、黄の着色領域。
（５）色相が、赤、青、深緑、黄緑の着色領域。
（６）色相が、赤、青緑、深緑、黄緑の着色領域。
【００４３】
また、本実施形態に係る液晶表示装置１００は、完全透過型の液晶表示装置として示し
ているが、これに限られず、代わりに半透過反射型の液晶表示装置を用いるとすることも
できる。さらに、図１に示すように、スイッチング素子としては、ＴＦＴ素子３７を用い
るとしているが、これに限られず、代わりにＴＦＤ（Thin Film Diode）素子を用いると
することもできる。
【００４４】
[ＬＥＤの構成]
図４に、本実施形態に係る白色ＬＥＤ１３ａ、１３ｂの構成を夫々示す。白色ＬＥＤ１
３ａ、１３ｂは、シングルチップ方式の白色ＬＥＤである。白色ＬＥＤ１３ａは、主に、
反射枠体２１ａと、青色ＬＥＤ２４ａと、ＹＡＧ（イットリウム・アルミニウム・ガーネ
ット）系蛍光体２３より構成され、白色ＬＥＤ１３ｂは、主に、反射枠体２１ｂと、青色
ＬＥＤ２４ｂと、ＹＡＧ系蛍光体２３より構成される。
【００４５】
青色ＬＥＤ２４ａ、２４ｂとしては、波長４３０ｎｍ〜４８０ｎｍの範囲内の波長をピ
ークに持つ青色光を出光するものが用いられる。ただし、青色ＬＥＤ２４ｂは、青色ＬＥ
Ｄ２４ａより出光される青色光の波長とは異なった波長をピークに持つ青色光を出光する
。青色ＬＥＤ２４ａ、２４ｂは夫々、電流Ｉａ、Ｉｂが流されることにより青色光を出光
する。ここで、電流Ｉａ、Ｉｂの電流量を夫々大きくすれば、青色ＬＥＤ２４ａ、２４ｂ
より出光される青色光の光度は、夫々大きくなり、電流Ｉａ、Ｉｂの電流量を夫々小さく
すれば、青色ＬＥＤ２４ａ、２４ｂより出光される青色光の光度は、夫々小さくなる。電
流Ｉａ、Ｉｂの電流量は、図示しない制御装置によって夫々独立に制御される。制御装置
は、ＬＥＤの駆動回路、ＬＥＤのコントロール回路と合わせてＦＰＣ４１上に配置されて
いる。本実施形態に係る照明装置１０では、一例として、白色ＬＥＤ１３ａにおける青色
ＬＥＤ２４ａとしては、波長４５０ｎｍにピークを持つ青色光を出光するものが用いられ
、白色ＬＥＤ１３ｂにおける青色ＬＥＤ２４ｂとしては、波長４６０ｎｍにピークを持つ
青色光を出光するものが用いられるとする。
【００４６】
反射枠体２１ａ、２１ｂは、樹脂などにより形成され、すり鉢状の凹部を有しており、
凹部の内面にはメッキ処理等により光を反射する反射膜が形成されている。青色ＬＥＤ２
４ａ、２４ｂは、夫々反射枠体２１ａ、２１ｂの凹部の底面に設置され、ＹＡＧ系蛍光体
２３が混ぜられた透明な樹脂２２ａ、２２ｂによって夫々封止されてなる。
【００４７】
青色ＬＥＤ２４ａ、２４ｂより出光した青色光は、ＹＡＧ系蛍光体２３を励起すること
によって黄色光（図４における破線矢印Ｙｅ）を生成する光と、樹脂２２ａ、２２ｂをそ
のまま透過して青色光として出光する光（図４における実線矢印Ｂ）とに分かれる。白色
ＬＥＤ１３ａ、１３ｂは、樹脂２２ａ、２２ｂをそのまま透過した青色光とＹＡＧ系蛍光
体２３が励起されることによって出光した黄色光を混光することで、白色光を生成する。
白色ＬＥＤ１３ａ、１３ｂでは、どちらも同じＹＡＧ系蛍光体２３が用いられ、ＹＡＧ
系蛍光体２３の量は、樹脂２２ａ、２２ｂの両方に同じ割合で含まれている。これにより
、白色ＬＥＤ１３ａ、１３ｂより出光する黄色光は、どちらも同じ波長分布を示し、かつ
ほぼ同じ光度となる。
【００４８】
青色ＬＥＤより出光される青色光は、その光のエネルギーが大きい。従って、シングル
チップ方式の白色ＬＥＤでは、チップとして青色ＬＥＤを用いることにより、蛍光体が励
起されることによって出光した他の色の光も、高い光度を有することができる。
【００４９】
図５は、本実施形態に係る白色ＬＥＤ１３ａ、１３ｂより出光される夫々の白色光のス
ペクトル分布を示しており、横軸は光の波長[ｎｍ]を、縦軸は光度を夫々示す。図５にお
いて、実線で示すグラフ１５１は、白色ＬＥＤ１３ａより出光される光のスペクトル分布
を示し、破線で示すグラフ１５２は、白色ＬＥＤ１３ｂより出光される光のスペクトル分
布を示す。グラフ１５１は、白色ＬＥＤ１３ａにおいて、波長４５０ｎｍをピークに有す
る青色光を出光する青色ＬＥＤ２４ａが用いられるので、波長４５０ｎｍのところに鋭い
ピークを有する。一方、グラフ１５２は、白色ＬＥＤ１３ｂにおいて、波長４６０ｎｍを
ピークに有する青色光を出光する青色ＬＥＤ２４ｂが用いられるので、波長４６０ｎｍの
ところに鋭いピークを有する。また、白色ＬＥＤ１３ａ、１３ｂは、同じＹＡＧ系蛍光体
２３が用いられるので、グラフ１５１、１５２は、どちらも波長５４０ｎｍ付近において
頂点となる裾野の広い小さな山を有する。
【００５０】
図６は、色度範囲を示す国際照明委員会（ＣＩＥ）のｘｙ色度図を示す。色度範囲２０
１は、人間の目の波長感度特性による色度範囲であり、人間が見分けることのできる色度
範囲を示している。図中のＲ、Ｇ、Ｂ、Ｙｅは、赤、緑、青、黄の大まかな色度を示して
いる。図６において、白色ＬＥＤ１３ａにおける青色ＬＥＤ２４ａ（波長４５０ｎｍ）の
色度点を点Ｓで示し、白色ＬＥＤ１３ｂにおける青色ＬＥＤ２４ｂ（波長４６０ｎｍ）の
色度点を点Ｐで示し、ＹＡＧ系蛍光体２３の色度点を点Ｑで示している。また、直線２１
０は、点Ｓと点Ｑを結ぶ直線であり、直線２１１は、点Ｐと点Ｑを結ぶ直線である。さら
に、図６において、一点破線で示す色度範囲２０２は、所定の白色領域を示している。
【００５１】
図７に、この白色領域の色度範囲２０２の拡大図を示す。色度範囲２０２は、具体的に
は、４つの点ｐｏ１、ｐｏ２、ｐｏ３、ｐｏ４で規定される。色度範囲２０２における、
Ｘの値の範囲は０．２８７〜０．３１１、Ｙの値の範囲は０．２７６〜０．３１５となる
。
【００５２】
図７では、色度範囲２０２を４つの領域Ｐ１〜Ｐ４に分けている。領域Ｐ１は、４つの
点ｐｏ１、ｐｏ６、ｐｏ９、ｐｏ５で規定され、Ｘの値の範囲は０．２９１〜０．３０２
、Ｙの値の範囲は０．２７６〜０．２９４となる。領域Ｐ２は、４つの点ｐｏ６、ｐｏ２
、ｐｏ７、ｐｏ９で規定され、Ｘの値の範囲は０．２８７〜０．２９８、Ｙの値の範囲は
０．２８７〜０．３０４となる。領域Ｐ３は、４つの点ｐｏ５、ｐｏ９、ｐｏ８、ｐｏ４
で規定され、Ｘの値の範囲は０．２９８〜０．３１１、Ｙの値の範囲は０．２８２〜０．
３０５となる。領域Ｐ４は、４つの点ｐｏ９、ｐｏ７、ｐｏ３、ｐｏ８で規定され、Ｘの
値の範囲は０．２９６〜０．３０８、Ｙの値の範囲は０．２９４〜０．３１５となる。
【００５３】
このように、色度範囲２０２を４つの領域Ｐ１〜Ｐ４に分けると、例えば、領域Ｐ３、
Ｐ４は、領域Ｐ１、Ｐ２よりも図６のｘｙ色度図におけるＹｅに近い位置にある。従って
、領域Ｐ３、Ｐ４に色度点を有する白色光は、領域Ｐ１、Ｐ２に色度点を有する白色光よ
りも黄色みがかった白色光となる。また、領域Ｐ３は、領域Ｐ４よりも図６のｘｙ色度図
におけるＲに近い位置にある。従って、領域Ｐ３に色度点を有する白色光は、領域Ｐ４に
色度点を有する白色光よりも赤みがかった白色光となる。一方、領域Ｐ４は、領域Ｐ３よ
りも図６のｘｙ色度図におけるＧに近い位置にある。従って、領域Ｐ４に色度点を有する
白色光は、領域Ｐ３に色度点を有する白色光よりも緑がかった白色光となる。
【００５４】
本実施形態に係る照明装置１０では、光源部１２より出光される白色光は、白色ＬＥＤ
１３ａ、１３ｂの夫々より出光される白色光を混光したものである。従って、白色ＬＥＤ
１３ａ、１３ｂにおける青色ＬＥＤ２４ａ、２４ｂより出光される２つの波長の青色光の
光度の両方を調整することにより、光源部１２より出光される白色光の色度の値を、図６
に示す直線２１０及び直線２１１の間の範囲Ｙ１の間で変えることができる。具体的には
、ある所定のＸ座標の値に対し、直線２１０より求められるＹ座標の値と、直線２１１よ
り求められるＹ座標の値が、色度範囲２０２に収まる色度点を点Ｔ、Ｕとすると、青色Ｌ
ＥＤ２４ａ、青色ＬＥＤ２４ｂより出光される青色光の光度の両方を調整することにより
、所定のＸ座標の値に対し、Ｙ座標の値を変化量ＹＬｅｎの範囲内で変えることができる
。例えば、青色ＬＥＤ２４ａより出光される青色光の光度を、青色ＬＥＤ２４ｂより出光
される青色光の光度よりも大きくすれば、光源部１２より出光する白色光は、その色度が
点Ｔに近づくこととなり、赤みがかった白色となる。一方、青色ＬＥＤ２４ｂより出光さ
れる青色光の光度を、青色ＬＥＤ２４ａより出光される青色光の光度よりも大きくすれば
、光源部１２より出光する白色光は、その色度が点Ｕに近づくこととなり、緑がかった白
色となる。
【００５５】
このことから分かるように、青色ＬＥＤ２４ａ、２４ｂより出光される青色光の光度を
調整することにより、範囲Ｙ１で、所定の白色光の色度に調整することができる。即ち、
光源部１２より出光される白色光のホワイトバランスの調整を行うことが可能となる。
【００５６】
本実施形態における照明装置１０の場合には、青色ＬＥＤ２４ａ、青色ＬＥＤ２４ｂの
波長の差が１０ｎｍであり、このときの色度のＹ軸方向の変化量ＹＬｅｎは０．０１５程
度となる。ｘｙ色度図において、人間が色の違いを視覚できる色度の変化量の最小値も０
．０１５程度となるので、青色ＬＥＤ２４ａと青色ＬＥＤ２４ｂの波長の差は１０ｎｍ以
上となるのが望ましい。これにより、人間が色の違いを視覚できる色度範囲で、白色光の
ホワイトバランスの調整を行うことが可能となる。また、青色ＬＥＤ２４ａと青色ＬＥＤ
２４ｂの波長の差を広げれば広げるほど、範囲Ｙ１の幅を大きくすることができ、変化量
ＹＬｅｎを大きくすることができる。即ち、ｘｙ色度図におけるＹ軸方向の調整可能な色
度の変化量の幅を大きくすることができる。
【００５７】
なお、白色光の色度の値を、直線２１０及び直線２１１に沿った方向に調整するには、
白色光の黄色光の光度を変える必要がある。従って、白色光の色度の値のＸ座標を大きく
変化させるには、白色ＬＥＤ１３ａ、１３ｂの樹脂２２におけるＹＡＧ系蛍光体２３の割
合を調節する必要がある。言い換えれば、白色光の色度の値のＸ座標は、主に樹脂２２に
おけるＹＡＧ系蛍光体２３の量によって決まる。
【００５８】
一般的な照明装置には、ＲＧＢの各色のＬＥＤを用いて白色光を生成しているものがあ
る。このような照明装置においては、各色のＬＥＤの光度は、温度変化や経時変化などに
よっても変化し、その変化の特性は、各色のＬＥＤによって異なる。そのため、各色のＬ
ＥＤに流す電流量を製品出荷時に予め設定した電流量のままにしておくと、温度変化や経
時変化などにより、各色のＬＥＤから出光された光の光度がそれぞれ変化してしまうので
、各色のＬＥＤから出光する光を混光しても当初設定していた白色光と同じ白色光となら
なくなる。例えば、温度が上昇すると、青色ＬＥＤは明るくなる性質を有し、赤色ＬＥＤ
は暗くなる性質を有する。そのため、気温が高い場所では、液晶表示パネルの表示画面で
表示された白色は、青みがかった白色になる。また、ＲＧＢのＬＥＤのうち、青色ＬＥＤ
は、劣化が最も早く、時間が経過するにつれて暗くなるのに対し、赤色ＬＥＤは、劣化が
最も遅い。よって、時間が経つにつれて、液晶表示パネルの表示画面で表示された白色は
、赤みがかった白色になる。
【００５９】
本実施形態に係る照明装置１０では、白色ＬＥＤ１３ａ、１３ｂは、そのチップとして
青色ＬＥＤのみが用いられている。白色光を生成する場合、ＲＧＢの各色のＬＥＤが用い
られている一般的な照明装置では、３種類の性質の異なるＲＧＢの各色のＬＥＤに流す電
流量を調整する必要があるのに対し、本実施形態に係る照明装置１０では、青色ＬＥＤ２
４ａ、２４ｂに流す電流量を調整するだけで良い。従って、ＲＧＢの各色のＬＥＤが用い
られている一般的な照明装置と比較して、本実施形態に係る照明装置１０では、白色光を
簡単に生成することができる。また、白色ＬＥＤ１３ａ、１３ｂでは、１種類の青色ＬＥ
Ｄのみが用いられているので、白色ＬＥＤ１３ａ、１３ｂの温度変化や経時変化による光
の光度の変化は、夫々同じ割合で変化する。従って、上述したようなＲＧＢの各色のＬＥ
Ｄを混光して白色光を生成する照明装置と比較して、本実施形態に係る照明装置１０では
、温度変化や経時変化による白色光のホワイトバランスの崩れ方を緩やかなものとするこ
とができる。
【００６０】
[白色光のホワイトバランスの調整]
光源部１２より出光された白色光のホワイトバランスを調整する方法として、照明装置
１０より出光した直後の白色光のホワイトバランスを調整する方法と、液晶表示パネル３
０を透過した後の白色光のホワイトバランスを調整する方法の２つの方法が考えられる。
【００６１】
図８に照明装置１０より出光した直後の白色光のホワイトバランスを調整する場合の液
晶表示装置１００の製造方法のフローチャートを示し、図９に液晶表示パネル３０を透過
した白色光のホワイトバランスを調整する場合の液晶表示装置１００の製造方法のフロー
チャートを示す。
【００６２】
照明装置１０より出光した直後の白色光のホワイトバランスを調整する場合、図８に示
すように、まず、照明装置作製工程たる照明装置１０の作製（ステップＳ１１）を行い、
表示パネル作製工程たる液晶表示パネル３０の作製（ステップＳ１２）を行う。その後、
光度調整工程として、照明装置１０より出光した直後の白色光の色度を観測しつつ、白色
ＬＥＤ１３ａ、１３ｂの青色ＬＥＤ２４ａ、２４ｂに流す電流Ｉａ、Ｉｂを調整すること
により、青色ＬＥＤ２４ａ、２４ｂより出光される青色光の光度の両方を調整して、照明
装置１０より出光した直後の白色光のホワイトバランスを調整する（ステップＳ１３）。
ホワイトバランスの調整を終えた後、組み合わせ工程として、照明装置１０と液晶表示
パネル３０を組み合わせることにより（ステップＳ１４）、液晶表示装置１００は完成す
る。
【００６３】
一方、液晶表示パネル３０を透過した光を調整することで白色光を生成する場合、図９
に示すように、照明装置作製工程たる照明装置１０の作製（ステップＳ２１）を行い、表
示パネル作製工程たる液晶表示パネル３０の作製（ステップＳ２２）を行う。その後、組
み合わせ工程として、照明装置１０と液晶表示パネル３０を組み合わせる（ステップＳ２
３）。このように液晶表示装置１００の装置構成を一通り完成させた後、光度調整工程と
して、液晶表示パネル３０を透過して出光される白色光の色度を観測しつつ、白色ＬＥＤ
１３ａ、１３ｂの青色ＬＥＤ２４ａ、２４ｂに流す電流Ｉａ、Ｉｂを調整することにより
、青色ＬＥＤ２４ａ、２４ｂより出光される青色光の光度の両方を調整して、液晶表示パ
ネルを出光した白色光のホワイトバランスを調整する（ステップＳ２４）。
【００６４】
以上に述べた２つの液晶表示装置１００の製造方法により、液晶表示装置１００の製造
工程中において、白色光のホワイトバランスの調整を行うことができる。
【００６５】
一般的なＲＧＢの着色層を有する液晶表示装置において、液晶表示パネルにおける着色
層の光の透過率は、その着色層の厚さなどによって異なるため、ＬＥＤから出光した光は
、着色層を透過することにより、ＲＧＢの各色の光の光度がそれぞれ変化する。そのため
、照明装置側において、所定の白色光が生成されても、着色層６を透過した後の白色光の
色が、その所定の白色光の色と同じになるとは限らない。言い換えれば、表示画面で白色
表示を行うときに、観測者が視認する白色が、その照明装置側で生成された所定の白色光
の色と同じになるとは限らない。このように、白色光を構成するＲＧＢの各色の光の光度
の割合が、着色層の透過率により変化するため、観測者は、表示画面に映し出される白色
と、照明装置側で生成した所定の白色光の色とが異なって見えてしまう。特に、ＲＧＢの
各色の光の中では、着色層による青色光の吸収が最も大きいため、白色光における青色光
の成分が不足する。また、本実施形態に係る液晶表示装置１００のように、ＲＧＢＣの着
色層６を有する液晶表示パネル３０で白色表示を行った場合には、先に述べたＲＧＢの着
色層を有する液晶表示パネルで白色表示を行うよりも、Ｃの着色層６を追加したことによ
り、白色点が、より緑色側にシフトする傾向がある。
【００６６】
このように、液晶表示パネル３０を透過した後の表示画面に映し出される白色光と、照
明装置１０で生成した白色光とでは、色度が異なってしまう。従って、観測者が実際に視
認する表示画面に映し出される白色光のホワイトバランスを調整する方が、照明装置１０
より出光した直後の白色光のホワイトバランスを調整するよりも適切な表示を行うことが
できる。
【００６７】
本実施形態に係る照明装置１０では、白色ＬＥＤ１３ａ、１３ｂの青色ＬＥＤ２４ａ、
２４ｂより出光される青色光の光度を調整することができる。言い換えれば、液晶表示パ
ネルで吸収され、白色光の青色光の成分が不足している場合には、その青色光の成分を補
うことができる。また、本実施形態に係る液晶表示装置１００のようにＲＧＢＣの着色層
６を有する液晶表示パネル３０に対し、照明装置１０を用いることにより、白色光の青色
光の成分を多くすることができ、緑色側にシフトした白色光の白色点を最適な白色点に調
整することができる。
【００６８】
[変形例]
次に本実施形態に係る照明装置１０の変形例について述べる。図１０は、本実施形態に
係る照明装置１０の変形例に係る白色ＬＥＤ１３を示す図である。本実施形態に係る照明
装置１０では、白色ＬＥＤ１３ａ、１３ｂが、夫々同数ずつ、光源部１２に配列されると
したが、これに限られない。光源部１２に、白色ＬＥＤ１３ａ、１３ｂを配列する代わり
に、図１０に示す白色ＬＥＤ１３を配列することとしても良い。白色ＬＥＤ１３では、青
色ＬＥＤ２４ａ、２４ｂは両方とも、１つの反射枠体２１の凹部の底面に設置され、ＹＡ
Ｇ系蛍光体２３が混ぜられた透明な樹脂２２によって封止されてなる構造を有する。青色
ＬＥＤ２４ａ、２４ｂは夫々、電流Ｉａ、Ｉｂが流されることにより、青色光を出光する
。電流Ｉａ、Ｉｂの電流量は、図示しない制御装置によって独立に制御される。青色ＬＥ
Ｄ２４ａ、２４ｂより出光した青色光は、ＹＡＧ系蛍光体２３を励起することによって黄
色光（図１０における破線矢印Ｙｅ）を生成する光と、樹脂２２をそのまま透過して青色
光として出光する光（図１０における実線矢印Ｂ）とに分かれる。白色ＬＥＤ１３は、樹
脂２２をそのまま透過した青色光とＹＡＧ系蛍光体２３が励起されることによって出光し
た黄色光を混光することで、白色光を生成する。この白色ＬＥＤ１３によっても、上述し
たように、ｘｙ色度図におけるＹ軸方向の色度範囲を調節することができ、光源部１２よ
り出光される白色光のホワイトバランスの調整を行うことができる。
【００６９】
また、光源部１２に配置される発光素子としては、上述したような白色ＬＥＤには限ら
れない。白色ＬＥＤの代わりに、２つの波長の異なる、蛍光体を励起して白色発光を行う
ことのできる有機ＥＬ（electroluminescence）発光素子を用いるとすることもできる。
さらに、上記実施形態では、表示パネルとして液晶表示パネルを用いているが、これに
限られるものではなく、代わりに表示パネルとして、電気泳動ディスプレイパネルなどの
他の表示パネルを用いるとすることもできる。
【００７０】
[電子機器]
次に、本実施形態に係る液晶表示装置１００を適用可能な電子機器の具体例について図
１１を参照して説明する。
【００７１】
まず、本発明に係る液晶表示装置１００を、可搬型のパーソナルコンピュータ（いわゆ
るノート型パソコン）の表示部に適用した例について説明する。図１１（ａ）は、このパ
ーソナルコンピュータの構成を示す斜視図である。同図に示すように、パーソナルコンピ
ュータ７１０は、キーボード７１１を備えた本体部７１２と、本発明に係る液晶表示装置
１００を適用した表示部７１３とを備えている。
【００７２】
続いて、本発明に係る液晶表示装置１００を、携帯電話機の表示部に適用した例につい
て説明する。図１１（ｂ）は、この携帯電話機の構成を示す斜視図である。同図に示すよ
うに、携帯電話機７２０は、複数の操作ボタン７２１のほか、受話口７２２、送話口７２
３とともに、本発明に係る液晶表示装置１００を適用した表示部７２４を備える。
【００７３】
なお、本発明に係る液晶表示装置１００を適用可能な電子機器としては、図１１（ａ）
に示したパーソナルコンピュータや図１１（ｂ）に示した携帯電話機の他にも、液晶テレ
ビ、ビューファインダ型・モニタ直視型のビデオテープレコーダ、カーナビゲーション装
置、ページャ、電子手帳、電卓、ワードプロセッサ、ワークステーション、テレビ電話、
ＰＯＳ端末、ディジタルスチルカメラなどが挙げられる。
【図面の簡単な説明】
【００７４】
【図１】本実施形態に係る液晶表示装置の平面図。
【図２】本実施形態に係る液晶表示装置の断面図。
【図３】本実施形態に係る照明装置１０の平面図。
【図４】本実施形態に係る白色ＬＥＤの構成を示す模式図。
【図５】本実施形態に係る白色ＬＥＤより出光される白色光のスペクトル分布。
【図６】色度範囲を示す国際照明委員会（ＣＩＥ）のｘｙ色度図。
【図７】白色領域の色度範囲の拡大図。
【図８】液晶表示装置の製造方法のフローチャート図。
【図９】液晶表示装置の製造方法のフローチャート図。
【図１０】本実施形態に係る白色ＬＥＤの変形例を示す図。
【図１１】本実施形態の液晶表示装置を適用した電子機器の例を示す図。
【符号の説明】
【００７５】
１１…導光板、１２…発光装置としての光源部、１３ａ、１３ｂ…第１の発光手段とし
ての白色ＬＥＤ、２４ａ、２４ｂ…第２の発光手段としての青色ＬＥＤ、２３…青色光波
長変換手段としてのＹＡＧ系蛍光体、１０…照明装置、３０…表示パネルとしての液晶表
示パネル、１００…電気光学装置としての液晶表示装置。
【図１】
0004424297.tif 000002
【図２】
0004424297.tif 000003
【図３】
0004424297.tif 000004
【図４】
0004424297.tif 000005
【図５】
0004424297.tif 000006
【図６】
0004424297.tif 000007
【図７】
0004424297.tif 000008
【図８】
0004424297.tif 000009
【図９】
0004424297.tif 000010
【図１０】
0004424297.tif 000011
【図１１】
0004424297.tif 000012